(57)【要約】【課題】耳たぶの穴にピンを差し込むピアス式のイヤリングとして、またはバネで耳たぶをはさみつけるクリップ式のイヤリングとして、それぞれ共用することができるピアス兼イヤリングに関する。【解決手段】耳たぶ前面に取付けられる装飾部と、装飾部の背面下部に開閉自在に取付けられ、耳たぶ方向への付勢力を備えるとともに、上記装飾部の背面に軸着され、軸着位置から下向きの方向と、装飾部の背面から突出する水平の方向とに起伏自在としたピンと、ピンの軸着部分を収納するよう設けられたハウジングとを備え、このハウジングには下向き方向のピンの収納孔と、水平方向のピンの収納孔とをピンの軸着位置からほぼ等距離に設けるとともに、その間を連結するスライド溝を有し、ピンの軸着部分を、開放端を外方に向けて付勢したバネで被覆すると同時に、このバネでピンがスライド溝内を下向き方向または水平方向から他方の位置に簡単に移動しないようにしたことを特徴とするピアス兼イヤリング。【選択図】　　　　　図１
2004097531.tif 000002
【特許請求の範囲】
【請求項１】
耳たぶ前面に取付けられる装飾部と、装飾部の背面下部に開閉自在に取付けられ、耳たぶ方向への付勢力を備えるとともに、先端に下記ピンの案内部を設けた弾性挟着部と、上記装飾部の背面に軸着され、軸着位置から下向きの方向と、装飾部の背面から突出する水平の方向とに起伏自在としたピンと、ピンの軸着部分を収納するよう設けられたハウジングとを備え、このハウジングには下向き方向のピンの収納孔と、水平方向のピンの収納孔とをピンの軸着位置からほぼ等距離に設けるとともに、下向き方向および水平方向のピンの各収納孔の間を連結するスライド溝を有し、ピンの軸着部分を、開放端を外方に向けて付勢したバネで被覆すると同時に、このバネでピンがスライド溝内を下向き方向または水平方向から他方の位置に簡単に移動しないようにしたことを特徴とするピアス兼イヤリング。
【請求項２】
ハウジングに設けた下向き方向のピンの収納孔と水平方向のピンの収納孔との間を連結するスライド溝が、ピンの各収納孔の径よりも狭く形成してなる請求項１に記載のピアス兼イヤリング。
【請求項３】
ハウジングを貴金属製外層部材と硬質金属内層部材との積層構造として、バネをこの硬質金属内層部材との間で摺動させるようにしてなる請求項１または２に記載のピアス兼イヤリング。
【発明の詳細な説明】
【０００１】
【発明の属する技術分野】この発明は、耳たぶの穴にピンを差し込むピアス式のイヤリングとして、またはバネで耳たぶをはさみつけるクリップ式のイヤリングとして、それぞれ兼用することができるピアス兼イヤリングに関するものである。
【０００２】
【従来の技術】従来のイヤリングとしては、耳たぶの穴にピンを差し込むピアス式のイヤリングや、またバネで耳たぶをはさみつけるクリップ式のイヤリング等が知られている。これらのイヤリングは通常はそれぞれ単一の機能を有するよう作成されているが、例えば高価なイヤリングなどの場合には複数の人が着用することも考えられる。そのような場合、片方の着用者が耳たぶに穴が形成されていてピアス式のイヤリングとして使用し、もう一方の着用者が耳たぶに穴がなく、バネで耳たぶをはさみつけるクリップ式のイヤリングとして使用したいという要請がある。
【０００３】そのために、実開平６−４６５１４号公報の発明においては、バネで耳たぶをはさみつけるクリップ式のイヤリングでありながら、ピンを装飾部の背面に回動可能に取り付けてピアス式のイヤリングとしても使用できるピアス兼イヤリングが提案されている。すなわち、ピンを水平位置に保持した状態でピアス式のイヤリングとして使用することができ、またピン先端を下向きに折りたたんで装飾部の背面に沿って収納したときには、通常のバネで耳たぶをはさみつけるクリップ式イヤリングとしても使用できるようにしてある。
【０００４】
【発明が解決しようとする課題】しかしながら、上記ピアス式あるいはクリップ式として兼用できるイヤリングは次のような欠点を有している。すなわち上記ピアス兼イヤリングにおいては、水平に持ち上げてピアス式のイヤリングとして使用する場合の、ピンを係合させてその位置を保持させるために用いる垂下片と、下向きに折りたたんでクリップ式イヤリングとして使用する場合の、ピンを係合させてその位置を保持させるために用いる横向きの突片とがそれぞれ装飾部の背面に設けられている。しかしながら、上記垂下片および横向きの突片が装飾部の背面上に露出し、装飾性が損なわれるという欠点があった。
【０００５】さらに、垂下片や横向きの突片に円弧状に設けたピンの受け口では、垂下片や横向きの突片の素材の弾性を利用しただけであり、ピンを長期間にわたって確実な係合状態を保持することは非常に難しかった。
【０００６】またピアス式のイヤリングとして使用する場合、ピンを水平位置に保持しておくことが難しく、頻繁に倒れてしまって耳たぶへ装着する操作がしにくいという欠点があった。
【０００７】この発明のピアス兼イヤリングは従来例の上記欠点を解消しようとするもので、ピアス式あるいはクリップ式として共用できることはもちろん、ピンが装飾部の背面に隠れるので装飾性が損なわれることもなく、またピアス式イヤリングとして使用する場合、装着時にピンが倒れて耳たぶへの装着操作がしにくくなるという難点の解消されたピアス兼イヤリングを提供しようとするものである。
【０００８】
【課題を解決するための手段】この発明のピアス兼イヤリングは、耳たぶ前面に取付けられる装飾部と、装飾部の背面下部に開閉自在に取付けられ、耳たぶ方向への付勢力を備えるとともに、先端に下記ピンの案内部を設けた弾性挟着部と、上記装飾部の背面に軸着され、軸着位置から下向きの方向と、装飾部の背面から突出する水平の方向とに起伏自在としたピンと、ピンの軸着部分を収納するよう設けられたハウジングとを備え、このハウジングには下向き方向のピンの収納孔と、水平方向のピンの収納孔とをピンの軸着位置からほぼ等距離に設けるとともに、下向き方向および水平方向のピンの各収納孔の間を連結するスライド溝を有し、ピンの軸着部分を、開放端を外方に向けて付勢したバネで被覆すると同時に、このバネでピンがスライド溝内を下向き方向または水平方向から他方の位置に簡単に移動しないようにしたことを特徴とするものである。
【０００９】この発明のピアス兼イヤリングは、上記ハウジングに設けた下向き方向のピンの収納孔と水平方向のピンの収納孔との間を連結するスライド溝を、ピンの各収納孔の径よりも狭く形成したことをも特徴としている。
【００１０】この発明のピアス兼イヤリングは、上記ハウジングを貴金属製外層部材と硬質金属内層部材との積層構造として、バネをこの硬質金属内層部材との間で摺動させるようにしたことをも特徴としている。
【００１１】この発明のピアス兼イヤリングによれば、ピアス式あるいはクリップ式として兼用できることはもちろん、ピンの係合手段が装飾部の背面に設けたハウジング内に収納されているので全体としての装飾性が損なわれることがなく、しかもピアス式イヤリングとして使用する場合、装着時にピンが倒れて耳たぶへの装着操作がしにくくなるという難点が解消され、非常に使いやすいピアス兼イヤリングを提供することができる。
【００１２】
【発明の実施の形態】以下、この発明のピアス兼イヤリングの実施の形態を、図面に基いて説明する。
【００１３】図面はこの発明のピアス兼イヤリングの１実施例を説明するものであり、図１はピンを水平に保持した状態の側面図、図２は弾性挟着部を開いた状態の側面図、図３はその背面図、図４はその平面図、図５（ａ）は水平に保持したピン部分の横断面図、（ｂ）はその縦断面図、（ｃ）はバネ部分の切断端面図である。
【００１４】図１ないし図５において、１は望ましくは貴金属製の、例えば板状あるいは棒状の装飾部で、その前面には図に示した真珠２のみならず、ダイヤやサファイヤ等の宝石類、あるいはメノウその他の貴石類を取り付けて、イヤリングとしての装飾性を得るようになっている。上記装飾部１の全体形状は、図のようにＬ字形として下記軸受部７が一体的に形成してあっても、また装飾部１に後付けで軸受部７が取り付けられるようになっていてもよい。
【００１５】装飾部１のＬ字形の水平部３先端には、弾性挟着部４が開閉自在に取り付けられており、この弾性挟着部４は耳たぶ方向への付勢力を備えるとともに、先端にピンの案内部５が設けてある。
【００１６】すなわち、上記弾性挟着部４は両端の脚部３１を所定の間隔として、開く方向に付勢された材質の線材で構成され、中間にループ状の案内部５が形成されている。そして弾性挟着部４は、上記両端の脚部３１先端を内向きに折り曲げて軸ピン６とし、この軸ピン６を装飾部１のＬ字形の水平部３先端に形成した軸受部７の軸穴８にはめ込むことにより装飾部１に取り付けられている。
【００１７】この軸受部７には、図４のように軸穴８両端から内方に向かって装飾部１側がすぼまったテーパ状の切欠き１１が形成されており、弾性挟着部４はその両端を閉じる方向に付勢されているので、上記テーパ状の切欠き１１に沿ってスライドしようとする力が作用するのが自然である。そして例えば、テーパ状の切欠き１１部分においては、切欠き１１のつぼまる方向に力が作用し、その力により装飾部１側に付勢力が働く。このときの力は、ピアス兼イヤリングを耳たぶから脱落させないためには充分であるが、長時間ピアス兼イヤリングを耳たぶへ装着してもあまり痛みを感じない程度のものであり、非常に好都合である。
【００１８】１２は耳たぶへ装着したときの痛み解消のためのクッション材で、弾性挟着部４の上記ループ状の案内部５に、このクッション材１２の外周に形成したリング状の周溝１３をはめ込んで取り付けてある。
【００１９】上記装飾部１のＬ字形の垂直部１４上端には、ハウジング１５が取付けられている。そしてピン１６が一端を上記ハウジング１５内の所定位置に軸２１で軸着され、他端を垂下させて首振り自在としてある。そしてこの垂下させた位置と水平位置との間で９０度回転することができる。
【００２０】このハウジング１５には下向き方向のピンの収納孔１７と、水平方向のピンの収納孔１８とをピン１６の軸着位置からほぼ等距離に設けるとともに、下向き方向および水平方向に位置するピンの各収納孔１７，１８の間を連結するスライド溝１９を形成してある。そしてこのスライド溝１９は、ピン１６の各収納孔１７，１８の径よりも狭く形成してある。
【００２１】さらに、上記ピン１６の軸着部分には、開放端を外方に向けて付勢したバネ２０がピン１６と同軸に軸２１によって軸着されており、バネ２０はピン１６の軸着部分から所定の長さを被覆するよう構成されている。同時に、このバネ２０の先端は上記各収納孔１７，１８およびスライド溝１９に係合する長さを備えており、バネ２０はピン１６が上記各収納孔１７，１８およびスライド溝１９内を垂下した位置または水平位置から他方の方向へ簡単に移動しないように機能している。
【００２２】すなわち、上記各収納孔１７，１８およびスライド溝１９内をピン１６がスライドする際にバネ２０が各収納孔１７，１８およびスライド溝１９の側壁を押圧して一定の負荷をかけているので、ピン１６は力を加えない限りその位置に留まったままである。特に、ピン１６が上記各収納孔１７，１８にあるときには、スライド溝１９がピンの各収納孔１７，１８の径よりも狭く形成してあるので、ピン１６が簡単に当該位置を外れることがない。
【００２３】なおハウジング１５を、貴金属製外層部材１５−１と硬質金属内層部材１５−２との積層構造とし、バネ２０を硬質金属内層部材１５−２との間でのみ摺動させるようにしておけば、磨耗が少なく、長期間にわたってバネ２０の特性を確保することが可能な、耐久性に富むハウジングとすることができる。
【００２４】この発明のピアス兼イヤリングは以上のように構成されており、クリップ式のイヤリングとして使用する場合には、ピン１６を垂下させた状態とし、装飾部１背面のハウジング１５に設けた収納孔１８で、バネ２０を介してピン１６の先端を挟んで保持しておく。この状態で弾性挟着部４を装飾部１側に倒すと、弾性挟着部４の脚部３１は開放位置から外れて切欠き１１に沿ってスライドしようとする力を受け、装飾部１側に付勢されて耳たぶを装飾部１との間で挟着することにより、耳たぶに取り付けられる。
【００２５】次にピアス式のピアス兼イヤリングとして使用する場合には、ピン３を装飾部１背面のハウジング１５に設けた収納孔１７から引き出し、先端を持ち上げてスライド溝１９内を移動させれば、ピン１６はついには水平位置の収納孔１８にはまり込んで抜け止めされる。この状態でピン１６を耳たぶの孔にはめ込んだ上、弾性挟着部４を装飾部１側に倒すと、耳たぶの孔から突き出したピン１６の先端に弾性挟着部４の案内部５がはめ込まれて抜け止めされる。このとき、弾性挟着部４が装飾部１側に付勢する力を受けるのは上記と同様である。いずれにしても外す際はこれと逆の操作を行なえばよい。
【００２６】
【発明の効果】この発明によれば、ピアス式あるいはクリップ式として兼用できることはもちろん、ピンの係合手段が装飾部の背面に設けたハウジング内に収納されているので全体としての装飾性が損なわれることがなくなった。
【００２７】しかもピアス式イヤリングとして使用する場合、装着時にピンが倒れて耳たぶへの装着操作がしにくくなるという難点が解消され、非常に使いやすいピアス兼イヤリングを提供することができるようになった。
【図面の簡単な説明】
【図１】ピンを水平に保持した状態の側面図である。
【図２】弾性挟着部を開いた状態の側面図である。
【図３】その背面図である。
【図４】その平面図である。
【図５】（ａ）は水平に保持したピン部分の横断面図、（ｂ）はその縦断面図、（ｃ）はバネ部分の切断端面図である。
【符号の説明】
１　装飾部
２　真珠
３　水平部
４　弾性挟着部
５　ピンの案内部
６　軸ピン
７　軸受部
８　軸穴
１１　切欠き
１２　クッション材
１３　周溝
１４　垂直部
１５　ハウジング
１５−１　貴金属製外層部材
１５−２　硬質金属内層部材
１６　ピン
１７，１８　ピンの収納孔
１９　スライド
２０　バネ
２１　軸
３１　脚部
【図１】
2004097531.tif 000003
【図２】
2004097531.tif 000004
【図３】
2004097531.tif 000005
【図４】
2004097531.tif 000006
【図５】
2004097531.tif 000007